(57)【要約】      （修正有）【課題】扉の高さを短くすることができ、小型化された加熱調理器を提供する。【解決手段】扉は、外枠と、外枠の後側に取り付けられる金属製の電波漏洩防止プレートと、電波漏洩防止プレートを外枠と挟み込む内枠と、外枠の下部に設けられた外気を取り入れる吸気口と、外枠に取り付けられた基板１５と、基板の冷却用の、外枠に取り付けられたファンと、ファンから基板に至る第１風路２９と、を備え、ファン１７は、電波漏洩防止プレートよりも前方に配置され、ファンの少なくとも一部が、電波漏洩防止プレートの内側に配置され、ファンの吸い込み方向は、直立状態における扉の前後方向であって、吸気口と交差する方向であり、ファンの吐き出し方向は、吸い込み方向と交差する方向である、加熱調理器。【選択図】図１４
2019152345.tif 000002
【特許請求の範囲】
【請求項１】
開口を有する加熱室と、
前記加熱室の前記開口を開閉可能に覆う扉と、を備え、
前記扉は、
外枠と、
前記外枠の後側に取り付けられる金属製の電波漏洩防止プレートと、
前記電波漏洩防止プレートを前記外枠と挟み込む内枠と、
前記外枠の下部に設けられた外気を取り入れる吸気口と、
前記外枠に取り付けられた基板と、
前記基板の冷却用の、前記外枠に取り付けられたファンと、
前記ファンから前記基板に至る第１風路と、
を備え、
前記ファンは、前記電波漏洩防止プレートよりも前方に配置され、
前記ファンの少なくとも一部が、後面視で、前記電波漏洩防止プレートの内側に配置され、
前記ファンの吸い込み方向は、直立状態における前記扉の前後方向であって、前記吸気口と交差する方向であり、
前記ファンの吐き出し方向は、前記吸い込み方向と交差する方向である、
加熱調理器。
【請求項２】
前記ファンおよび前記基板を覆うファンケースを備え、
前記外枠は、内部に隔壁で形成された溝を有し、
前記第１風路は、前記外枠の前記溝と前記ファンケースとにより形成される、
請求項１に記載の加熱調理器。
【請求項３】
前記ファンケースは、前記外枠の前記溝の後方に形成された貫通孔を有し、
前記ファンから前記貫通孔を通って、前記ファンケースの後面に至る第２風路が、前記外枠の前記溝と前記ファンケースとにより形成される、
請求項２に記載の加熱調理器。
【請求項４】
前記ファンケースは、前記基板の上方に形成された上部孔を備え、
前記扉は、前記基板から前記上部孔を通って前記ファンケースの後面に至る第３風路と、を備える、
請求項２または３に記載の加熱調理器。
【請求項５】
前記扉は、
前記ファンケースの後側の少なくとも一部を覆う金属板と、
前記ファンケースの後面と前記金属板の前面との間の第４風路と、を備える、
請求項３または４に記載の加熱調理器。
【請求項６】
前記基板は、動作時に発熱する発熱体が装着されており、
前記発熱体は、前記第１風路上に配置されている。
請求項１から５のいずれか１つに記載の加熱調理器。
【発明の詳細な説明】
【技術分野】
【０００１】
本開示は、加熱室内の食品を加熱する加熱調理器に関する。
【背景技術】
【０００２】
従来、加熱調理器の扉には、操作部が配置されている。扉は、加熱室の熱気により高温になるので、操作部が熱影響を受けないように、冷却風の流路が扉に形成されている。このような加熱調理器が、例えば、特許文献１に記載されている。
【０００３】
特許文献１には、冷却風が流れる流路にファンを配置することで、冷却能力を向上させている。ファンは、扉の高さ方向に吸気口と排気口とを略垂直になるように配置されている。また、ファンは、その下方から吸い込んでして上方へ吐き出している。
【先行技術文献】
【特許文献】
【０００４】
【特許文献１】特許第５８９９４５２号公報
【発明の概要】
【発明が解決しようとする課題】
【０００５】
しかしながら、ファンが扉の高さ方向に略垂直に配置されているので、ファンの厚みの分だけスペースを確保しなければならない。これにより、扉の高さを短くすることができず、加熱調理器の小型化が困難であった。
【０００６】
従って、本開示の目的は、前記課題を解決することにあって、小型化された加熱調理器を提供することにある。
【課題を解決するための手段】
【０００７】
前記目的を達成するために、本開示の一態様に係る加熱調理器は、
開口を有する加熱室と、
前記加熱室の前記開口を開閉可能に覆う扉と、を備え、
前記扉は、
外枠と、
前記外枠の後側に取り付けられる金属製の電波漏洩防止プレートと、
前記電波漏洩防止プレートを前記外枠と挟み込む内枠と、
前記外枠の下部に設けられた外気を取り入れる吸気口と、
前記外枠に取り付けられた基板と、
前記基板の冷却用の、前記外枠に取り付けられたファンと、
前記ファンから前記基板に至る第１風路と、
を備え、
前記ファンは、前記電波漏洩防止プレートよりも前方に配置され、
前記ファンの少なくとも一部が、後面視で、前記電波漏洩防止プレートの内側に配置され、
前記ファンの吸い込み方向は、直立状態における前記扉の前後方向であって、前記吸気口と交差する方向であり、
前記ファンの吐き出し方向は、前記吸い込み方向と交差する方向である。
【発明の効果】
【０００８】
小型化された加熱調理器を提供することができる。
【図面の簡単な説明】
【０００９】
【図１】実施の形態に係る加熱調理器の前面図
【図２】加熱調理器の前方斜視図
【図３】扉の分解斜視図
【図４】内枠を取り外した扉の後方斜視図
【図５】図４の扉から電波漏洩防止プレートを取り外した扉の後方斜視図
【図６】図５の扉から第２金属板を取り外した扉の後方斜視図
【図７】図６の扉から第１金属板を取り外した扉の後方斜視図
【図８】図６の扉から第１金属板を取り外した扉の後面図
【図９】図７の扉からファンケースを取り外した扉の後方斜視図
【図１０】図７の扉からファンケースを取り外した扉の後面図
【図１１】図１０のファン周辺の拡大図
【図１２】電波漏洩防止プレートとファンとの位置関係を説明する扉の説明図
【図１３】扉のファン周辺の縦断面から内方を見た図
【図１４】ファン、ファンケースおよび基板の前方斜視図
【図１５】風路を説明する説明図
【発明を実施するための形態】
【００１０】
本開示の一態様によれば、開口を有する加熱室と、前記加熱室の前記開口を開閉可能に覆う扉と、を備え、前記扉は、外枠と、前記外枠の後側に取り付けられる金属製の電波漏洩防止プレートと、前記電波漏洩防止プレートを前記外枠と挟み込む内枠と、前記外枠の下部に設けられた外気を取り入れる吸気口と、前記外枠に取り付けられた基板と、前記基板の冷却用の、前記外枠に取り付けられたファンと、前記ファンから前記基板に至る第１風路と、を備え、前記ファンは、前記電波漏洩防止プレートよりも前方に配置され、前記ファンの少なくとも一部が、後面視で、前記電波漏洩防止プレートの内側に配置され、前記ファンの吸い込み方向は、直立状態における前記扉の前後方向であって、前記吸気口と交差する方向であり、前記ファンの吐き出し方向は、前記吸い込み方向と交差する方向である、加熱調理器である。
【００１１】
また、前記ファンおよび前記基板を覆うファンケースを備え、前記外枠は、内部に隔壁で形成された溝を有し、前記第１風路は、前記外枠の前記溝と前記ファンケースとにより形成されてもよい。
【００１２】
また、前記ファンケースは、前記外枠の前記溝の後方に形成された貫通孔を有し、前記ファンから前記貫通孔を通って、前記ファンケースの後面に至る第２風路が、前記外枠の前記溝と前記ファンケースとにより形成されてもよい。
【００１３】
また、前記ファンケースは、前記基板の上方に形成された上部孔を備え、前記扉は、前記基板から前記上部孔を通って前記ファンケースの後面に至る第３風路と、を備えてもよい。
【００１４】
また、前記扉は、前記ファンケースの後側の少なくとも一部を覆う金属板と、前記ファンケースの後面と前記金属板の前面との間の第４風路と、を備えてもよい。
【００１５】
また、前記基板は、動作時に発熱する発熱体が装着されており、前記発熱体は、前記第１風路上に配置されてもよい。
【００１６】
（実施の形態）
以下に、本開示の実施の形態に係る加熱調理器について、図１および図２を参照して説明する。図１は、実施の形態に係る加熱調理器１の正面図である。図２は、扉７を開いた状態における加熱調理器１の前方斜視図である。なお、以下の説明において、Ｘ方向を加熱調理器１の長手方向（幅方向）とし、Ｙ方向を前後方向とし、Ｚ方向を高さ方向とする。また、以下の説明において、高さとは加熱調理器１の接地面からの距離をいう。
【００１７】
本開示の形態に係る加熱調理器１は、筐体３と、筐体３内に配置された加熱室５と、筐体３の前面となる前枠３ａに開けられた開口３ｂを開閉可能に覆う扉７とを備える。加熱室５は、上部に配置された上壁５ａと、両側部に配置された側壁５ｂ、５ｃと、後部に配置された後壁５ｄと、下部に配置された底壁５ｅに囲まれて形成される空間である。加熱室５には、マイクロ波を放射するためのマイクロ波放射口が備えられている。マイクロ波放射口から放射されたマイクロ波により加熱室５内に載置された被加熱物（食品）を誘電加熱するように構成されている。また、加熱室５の上部には蒸気吹き出し口が設けられ、加熱室５内に蒸気を供給することができる。
【００１８】
扉７は、開口３ｂの下方において、水平方向の回転中心で、筐体３に開閉可能に取り付けられている。扉７の外枠１３の上部に取り付けられたハンドル７ａをユーザが引くことにより、扉７が水平状態となるように回転操作されて開放される。また、扉７が垂直状態となるように回転操作されることで、加熱室５が閉鎖される。
【００１９】
扉７の外枠１３には、正面視で長手方向の一方側に表示部９と操作部１１とが配置されている。表示部９は、例えば、液晶画面であり、メニュー画面などが表示される。操作部１１は、例えば、押しボタンやダイヤルである。ユーザは操作部１１を用いて加熱調理器１に種々の調理指示を出す。
【００２０】
次に、図３を参照する。図３は、扉７の分解斜視図である。なお、以下の説明において、扉７の構成要素の位置関係を説明する場合、扉７が直立状態における位置関係を説明する。扉７は、前側から、外枠１３、表示部９、基板１５およびファン１７、ファンケース１９、第１金属板２１、第２金属板２３、電波漏洩防止プレート２５、内枠２７の順に配置され、これらの構成部品を備えている。
【００２１】
基板１５には、表示部９および操作部１１を制御する電子部品が配置されている。基板１５には、動作時に発熱する発熱体（図示省略）が配置されている。発熱体は、例えば、マイクロコンピュータである。
【００２２】
ファン１７は、加熱室５からの熱により昇温する基板１５を冷却するために外気を吸い込んで送り出す。ファン１７は、電波漏洩防止プレート２５よりも前方に配置されている。ファンケース１９は、基板１５およびファン１７の後方を覆い、ファン１７による冷却風の風路を形成する。第１金属板２１は、ファンケース１９を挟んで基板１５の後方に配置されている。
【００２３】
第１金属板２１は、基板１５に対して加熱室５からの熱を遮熱するために配置されている。第２金属板２３は、第１金属板２１の後面を覆うように配置されている。第２金属板２３も、基板１５に対して加熱室５からの熱を遮熱するために配置されている。
【００２４】
電波漏洩防止プレート２５は、加熱室５内から扉７を通して電波が外部へ漏洩するのを防止するための金属製のプレートである。電波漏洩防止プレート２５は、外枠１３の後側に取り付けられる。内枠２７は、電波漏洩防止プレート２５を外枠１３と共に挟み込んでいる。
【００２５】
次に、図４を参照する。図４は、内枠２７を取り外した扉７の後方斜視図である。電波漏洩防止プレート２５は、外枠１３の外縁に沿って外枠１３の内部に配置されている。
【００２６】
次に、図５を参照する。図５は、図４の扉７から電波漏洩防止プレート２５を取り外した扉７の後方斜視図である。外枠１３の長手方向一方側に、第２金属板２３が配置されている。第２金属板２３は、基板１５の後方に位置し、前後方向において加熱室５と第１金属板２１との間に配置されている。
【００２７】
次に、図６を参照する。図６は、図５の扉７から第２金属板２３を取り外した扉７の後方斜視図である。第１金属板２１は、基板１５の後方に位置し、前後方向において第２金属板２３とファンケース１９との間に配置されている。
【００２８】
次に、図７および図８を参照する。図７は、図６の扉７から第１金属板２１を取り外した扉７の後方斜視図である。図８は、図６の扉７から第１金属板２１を取り外した扉７の後面図である。ファンケース１９は、基板１５の後方に位置し、前後方向において、基板１５と第２金属板２３との間に配置されている。
【００２９】
ファンケース１９は、上部の内側に孔１９ａを有する。孔１９ａは、貫通孔であり、例えば、上下方向に延びた長孔である。孔１９ａは、ファンケース１９に、上下方向に２つ並べて形成されている。孔１９ａの上方には、前側および扉７の長手方向外側に開口するカバー１９ｃがファンケース１９に取り付けられている。カバー１９ｃにより、基板１５から後方に向けて流れる冷却風が、ファンケース１９の後面上を外側方に向けて流れるように方向が変えられる。
【００３０】
また、ファンケース１９は、上部に複数の上部孔１９ｂを有する。これにより、基板１５の上端まで流れた冷却風が上部孔１９ｂを通って、ファンケース１９の後面に流れる。また、扉７の長手方向の一方側における、ファンケース１９の下部には、後方へ突出する壁１９ｄが配置されている。これにより、カバー１９ｃから外側方に向けて流れる冷却風を、壁１９ｄで反射させて、内側方にむけて方向転換させることができる。
【００３１】
次に、図９および図１０を参照する。図９は、図７の扉７からファンケース１９を取り外した扉７の後方斜視図である。図１０は、図７の扉７からファンケース１９を取り外した扉７の後面図である。
【００３２】
外枠１３の長手方向一方側の下部に、外気を取り入れる吸気口１３ａが開けられている。また、基板１５が表示部９と共に、外枠１３に取り付けられている。また、ファン１７が、長手方向一方側の外枠１３の下部に、吸気口１３ａの上方に配置されている。
【００３３】
次に、図１１を参照する。図１１は、図１０のファン１７周辺の拡大図である。ファン１７の吸気口１７ａの開口は、扉７の前後方向に向けて開けられている。また、ファン１７の排気口１７ｂは、扉７の上方向に向けて開けられている。したがって、ファン１７の吸い込み方向は、直立状態における扉７の前後方向であって、外枠１３の吸気口１３ａと交差する方向である（図１３参照）。この交差する方向は直角でもよい。また、ファン１７の吐き出し方向は、吸い込み方向と交差する方向である。この交差する方向も直角でもよい。したがって、ファン１７の羽根の回転軸は、前後方向に向けられている。ファン１７として、例えば、シロッコファンが挙げられる。
【００３４】
また、外枠１３の後面から後方に延びた第１隔壁１３ｃと第２隔壁１３ｄとが形成されている。これらの、第１隔壁１３ｃと第２隔壁１３ｄおよび、外枠１３の後面の一部である後壁１３ｅとで、溝１３ｂが形成されている。溝１３ｂは、ファン１７の排気口１７ｂから上方に延びている。
【００３５】
次に、図１２を参照する。図１２は、電波漏洩防止プレート２５とファン１７との位置関係を説明する扉７の説明図である。ファン１７の少なくとも一部が、後面視で、電波漏洩防止プレート２５の内側に配置されている。ファン１７の上部および中央部が電波漏洩防止プレート２５に潜り込むように配置され、ファン１７の下部が電波漏洩防止プレート２５の下縁部から下方に突きだして配置されている。このような配置により、扉７の高さ方向の長さを短縮することができる。
【００３６】
次に、図１３から図１５を参照して、ファン１７から流れる冷却風の風路について説明する。図１３は、扉７のファン１７周辺の縦断面から内方を見た図である。図１４は、ファン１７、ファンケース１９および基板１５の前方斜視図である。図１５は、風路を説明する説明図である。なお、図１５において、ファンケース１９が破線で示されている。
【００３７】
ファンケース１９は、前面の内側端部から後方に延びた外側壁１９ｅと、外側壁１９ｅと平行に後方に延びた隔壁１９ｇと、隔壁１９ｇに開けられた孔１９ｈと、ファンケース１９の前面の一部である、前壁１９ｋとを有する。外側壁１９ｅと隔壁１９ｇと前壁１９ｋとで溝１９ｍを形成する。溝１９ｍは、ファン１７の排気口１７ｂから上方に延びている。
【００３８】
外枠１３の溝１３ｂと、ファンケース１９の溝１９ｍとが前後方向に合わさることで、ファンケース１９から上方に流れる風路が形成される。ファンケース１９の隔壁１９ｇに形成された孔１９ｈは、第１風路２９と第２風路３１との分岐点となる。孔１９ｈを通る冷却風は基板１５上に流れ、孔１９ｈを通らずに、上方に流れる冷却風は第２風路３１を通る。
【００３９】
扉７に形成される風路について説明する。外枠１３の吸気口１３ａから取り入れられた外気は、吸気口１３ａと前後方向に対向するように配置されたファンケース１９の吸気口１９ｆを通って、ファン１７に吸い込まれる。この際、ファン１７の下方から取り込まれた外気は、ファン１７の後方に回り込んで吸い込まれる。次に、ファン１７の上部から吐き出された冷却風は、溝１３ｂに沿って上方に流れる。溝１３ｂに沿って上方に流れる途中には基板１５側に分岐する第１風路２９が形成されている。第１風路に沿って基板１５上を流れた冷却風は、上部孔１９ｂを通る第３風路３３に沿ってファンケース１９の後側に流れ、ファンケース１９と第１金属板２１との間を流れる第４風路３５に繋がる。また、第１風路２９とは別に、溝１３ｂに沿って上方に流れた冷却風は、孔１９ａを通る第２風路３１に沿ってファンケース１９の後側に流れ、ファンケース１９と第１金属板２１との間を流れる第４風路３５に繋がる。
【００４０】
加熱調理器１は、開口３ｂを有する加熱室５と、加熱室５の開口３ｂを開閉可能に覆う扉７と、を備える。扉７は、外枠１３と、外枠１３の後側に取り付けられる金属製の電波漏洩防止プレート２５と、電波漏洩防止プレート２５を外枠１３と挟み込む内枠２７と、外枠１３の下部に設けられた外気を取り入れる吸気口１３ａと、を備える。さらに、扉７は、外枠１３に取り付けられた基板１５と、基板１５の冷却用の、外枠１３に取り付けられたファン１７と、ファン１７から基板１５に至る第１風路２９と、とを備える。ファン１７は、電波漏洩防止プレート２５よりも前方に配置される。ファン１７の少なくとも一部が、後面視で、電波漏洩防止プレート２５の内側に配置される。ファン１７の吸い込み方向は、直立状態における扉７の前後方向であって、吸気口１３ａと交差する方向である。ファン１７の吐き出し方向は、吸い込み方向と交差する方向である。これだけの構成から、以下の効果を得ることができる。
【００４１】
ファン１７の吸い込み方向と吐き出し方向を異ならせることで、外気の取り込みを緩くすることができ、例えば、加熱調理器１の下方に配置された炊飯器等の他の調理器や湯沸かし器から出る蒸気の取り込みを抑制することができる。また、ファン１７の一部を電波漏洩防止プレート２５の内側に配置することで、扉７の高さを短くすることができ、加熱調理器１の小型化を実現することができる。
【００４２】
ファン１７および基板１５を覆うファンケース１９を備え、外枠１３は、内部に第１隔壁１３ｃおよび第２隔壁１３ｄで形成された溝１３ｂを有する。第１風路２９は、外枠１３の溝１３ｂとファンケース１９とにより形成される。ファンケース１９および外枠１３の溝１３ｂにより、ファン１７から基板１５に至る風路が形成されるので、吸気口１３ａから吸気された外気を基板１５へ適切に送ることができる。これにより、基板１５を外気により冷却することができる。
【００４３】
ファンケース１９は、外枠１３の溝１３ｂの後方に形成された孔１９ａを有し、ファン１７から孔１９ａを通って、ファンケース１９の後面に至る第２風路３１が、外枠１３の溝１３ｂとファンケース１９とにより形成される。ファンケース１９に孔１９ａが形成されているので、ファン１７から孔１９ａを通ってファンケース１９の後面に至る風路が形成される。これにより、ファンケース１９の後面を冷却することができる。
【００４４】
ファンケース１９は、基板１５の上方に形成された上部孔１９ｂと、基板１５から上部孔１９ｂを通ってファンケース１９の後面に至る第３風路３３と、を備える。基板１５を冷却した冷却風がファンケース１９の上部孔１９ｂを通って、ファンケース１９の後面に至る風路が形成される。これにより、ファンケース１９の後面を冷却することができる。
【００４５】
扉７は、ファンケース１９の後側の少なくとも一部を覆う第１金属板２１と、ファンケース１９の後面と第１金属板２１の前面との間の第４風路３５と、を備える。ファンケース１９の後面に至る風路を通った冷却風は、ファンケース１９の後面と第１金属板２１との間の風路を通る。これにより、第１金属板２１を冷却することができるので、第１金属板２１の遮熱効果を向上させることができる。また、ファンケース１９と第１金属板２１との間にエアーカーテンを形成することができる。これにより、冷却風が第１金属板２１の熱を吸収することができ、第１金属板２１の遮熱板としての機能を向上させることができる。また、ファンケース１９への伝熱を低減することができる。
【００４６】
基板１５は、動作時に発熱する発熱体が装着されており、発熱体は、第１風路２９上に配置されている。基板１５に装着された発熱体が第１風路２９上にあるので、発熱体を効率良く冷却することができる。
【００４７】
なお、上記様々な実施の形態および変形例のうちの任意の実施の形態を適宜組み合わせることにより、それぞれの有する効果を奏するようにすることができる。
【００４８】
本開示は、添付図面を参照しながら好ましい実施の形態に関連して充分に記載されているが、この技術の熟練した人々にとっては種々の変形や修正は明白である。そのような変形や修正は、添付した特許請求の範囲による本開示の範囲から外れない限りにおいて、その中に含まれると理解されるべきである。また、各実施の形態における要素の組合せや順序の変化は、本開示の範囲及び思想を逸脱することなく実現し得るものである。
【産業上の利用可能性】
【００４９】
本開示にかかる加熱調理器は、例えば、高周波加熱調理器や、蒸気発生器付き高周波加熱調理器や、ヒータ付き高周波加熱調理器として有用である。
【符号の説明】
【００５０】
１    加熱調理器
３    筐体
３ａ  前枠
３ｂ  開口
５    加熱室
５ａ  上壁
５ｂ、５ｃ  側壁
５ｄ  後壁
５ｅ  底壁
７    扉
９    表示部
１１    操作部
１３    外枠
１３ａ  吸気口
１３ｂ  溝
１３ｃ  第１隔壁
１３ｄ  第２隔壁
１３ｅ  後壁
１５    基板
１７    ファン
１７ａ  吸気口
１７ｂ  排気口
１９    ファンケース
１９ａ  孔
１９ｂ  上部孔
１９ｃ  カバー
１９ｄ  壁
１９ｅ  外側壁
１９ｆ  吸気口
１９ｇ  隔壁
１９ｈ  孔
１９ｋ  前壁
１９ｍ  溝
２１    第１金属板
２３    第２金属板
２５    電波漏洩防止プレート
２７    内枠
２９    第１風路
３１    第２風路
３３    第３風路
３５    第４風路
【図１】
2019152345.tif 000003
【図２】
2019152345.tif 000004
【図３】
2019152345.tif 000005
【図４】
2019152345.tif 000006
【図５】
2019152345.tif 000007
【図６】
2019152345.tif 000008
【図７】
2019152345.tif 000009
【図８】
2019152345.tif 000010
【図９】
2019152345.tif 000011
【図１０】
2019152345.tif 000012
【図１１】
2019152345.tif 000013
【図１２】
2019152345.tif 000014
【図１３】
2019152345.tif 000015
【図１４】
2019152345.tif 000016
【図１５】
2019152345.tif 000017